(57)【要約】【課題】手間をかけずに簡単に、記録媒体を収納する収納部の状態を確認することが可能であるとともに、記録媒体の摺動および挿抜を行うことが可能な記録媒体盗難防止構造を提供することを目的とする。【解決手段】記録媒体盗難防止構造は、装着部を備え、記録媒体であるカード３を装着部に装着した状態でカード３を収納するカード収納部１と、カード収納部１のカード盗難防止蓋２とを備えている。カード盗難防止蓋２に、カード３の外形よりも小さな開口部２ａが形成され、カード３を装着部に装着し、かつ、カード盗難防止蓋２でカード収納部１を閉蓋した状態で、開口部２ａを介してカード３の装着を解除可能な空間がカード３とカード盗難防止蓋２との間に形成されている。【選択図】図２
2014222422.tif 000002
【特許請求の範囲】
【請求項１】
装着部を備え、記録媒体を前記装着部に装着した状態で前記記録媒体を収納する収納部と、
前記収納部の蓋部材と、
を備え、
前記蓋部材に、前記記録媒体の外形よりも小さな開口部が形成され、
前記記録媒体を前記装着部に装着し、かつ、前記蓋部材で前記収納部を閉蓋した状態で、前記開口部を介して前記記録媒体の装着を解除可能な空間が前記記録媒体と前記蓋部材との間に形成された、記録媒体盗難防止構造。
【請求項２】
前記蓋部材は、前記開口部を開閉する開口部用蓋部をさらに備えた、請求項１記載の記録媒体盗難防止構造。
【請求項３】
前記開口部用蓋部は、前記開口部に対して着脱可能に構成された、請求項２記載の記録媒体盗難防止構造。
【発明の詳細な説明】
【技術分野】
【０００１】
本発明は、装置に装着されたカード、メモリなどの記録媒体の盗難を防止する記録媒体盗難防止構造に関するものである。
【背景技術】
【０００２】
映像表示装置において地上波デジタル放送などを視聴するには、Ｂ−ＣＡＳカード（記録媒体）が必要であるが、このような映像表示装置は公共施設に設置されることがあるため、記録媒体の盗難を防止する必要がある。このため、従来から映像表示装置には記録媒体の盗難防止構造が設けられている。
【０００３】
例えば、特許文献１には、カードスロットを備えるカード収納部を蓋で覆い、可撓性を有するプッシュリベットを用いて蓋の挿通孔からカード挿入台にロックする構造が開示され、この構造では工具または治具を使用しなければ蓋を取り外せないようになっている。
【先行技術文献】
【特許文献】
【０００４】
【特許文献１】特開２００９−５５１１５号公報
【発明の概要】
【発明が解決しようとする課題】
【０００５】
しかしながら、特許文献１に記載の構造では、カード収納部は蓋で覆われるとともに蓋がロックされるため、記録媒体がカード収納部に収納されているかどうかを確認したり、記録媒体に触ったりすることができなかった。このため、記録媒体に設けた電気的な接点と、装置側に設けた電気的な接点との接点不良が疑われた場合、接点不良を解消するために記録媒体を摺動させたり、記録媒体の挿抜を行ったりする際、工具または治具を用いて蓋を外す必要があり手間がかかっていた。
【０００６】
また、装置側に、記録媒体の正常挿入の有無および記録媒体の種類を検出し検出結果を表示する手段を設けない場合、記録媒体がカードスロットに挿入されているかどうか、および当該記録媒体の種類を確認するために、工具または治具を用いて蓋を外す必要があり手間がかかっていた。
【０００７】
そこで、本発明は、手間をかけずに簡単に、記録媒体を収納する収納部の状態を確認することが可能であるとともに、記録媒体の摺動および挿抜を行うことが可能な記録媒体盗難防止構造を提供することを目的とする。
【課題を解決するための手段】
【０００８】
本発明に係る記録媒体盗難防止構造は、装着部を備え、記録媒体を前記装着部に装着した状態で前記記録媒体を収納する収納部と、前記収納部の蓋部材とを備え、前記蓋部材に、前記記録媒体の外形よりも小さな開口部が形成され、前記記録媒体を前記装着部に装着し、かつ、前記蓋部材で前記収納部を閉蓋した状態で、前記開口部を介して前記記録媒体の装着を解除可能な空間が前記記録媒体と前記蓋部材との間に形成されたものである。
【発明の効果】
【０００９】
本発明によれば、蓋部材に、記録媒体の外形よりも小さな開口部が形成されたため、記録媒体の盗難防止機能を残しつつ、記録媒体が装着部に正常に装着されているかどうかを開口部を介して確認することが可能となる。
【００１０】
また、記録媒体を装着部に装着し、かつ、蓋部材で収納部を閉蓋した状態で、開口部を介して記録媒体の装着を解除可能な空間が記録媒体と蓋部材との間に形成されたため、記録媒体が装着部に正常に装着されていない場合に、記録媒体の盗難防止機能を残しつつ、開口部を介して記録媒体の摺動および挿抜を行うことが可能となる。
【００１１】
さらに、これらの動作について蓋部材を外すことなく行うことができるため、手間をかけずに簡単に行うことができる。
【図面の簡単な説明】
【００１２】
【図１】実施の形態１に係る記録媒体盗難防止構造を備えた映像表示装置の背面斜視図である。
【図２】記録媒体盗難防止構造の斜視図である。
【図３】実施の形態２に係る記録媒体盗難防止構造の斜視図である。
【図４】実施の形態３に係る記録媒体盗難防止構造の斜視図である。
【発明を実施するための形態】
【００１３】
＜実施の形態１＞
本発明の実施の形態１について、図面を用いて以下に説明する。図１は、実施の形態１に係る記録媒体盗難防止構造を備えた映像表示装置１０の背面斜視図であり、図２は、記録媒体盗難防止構造の斜視図である。
【００１４】
最初に、映像表示装置１０について簡単に説明する。図１に示すように、映像表示装置１０は、例えば地上波デジタル放送のＬＣＤテレビであり、前部キャビネット１１と、後部キャビネット１２と、表示画面（図示省略）と、スタンド１３とを備えている。前部キャビネット１１は、映像表示装置１０の前部を構成するキャビネットであり、前部キャビネットの前面にはＬＣＤである表示画面が配置されている。
【００１５】
後部キャビネット１２は、映像表示装置１０の後部を構成するキャビネットであり、後部キャビネット１２の上部には、記録媒体盗難防止構造が設けられている。スタンド１３は、前部キャビネット１１および後部キャビネット１２を下側から支持する部材である。
【００１６】
次に、記録媒体盗難防止構造について説明する。図１と図２に示すように、記録媒体盗難防止構造は、カード収納部１（収納部）と、カード盗難防止蓋２（蓋部材）とを備えている。カード収納部１は、後部キャビネット１２の上部に設けられた凹部であり、記録媒体であるカード３を装着する装着部（図示省略）を備えている。カード収納部１は、カード３を起立状態で装着部に装着した状態でカード３を収納する。ここで、カード３は、例えばＢ−ＣＡＳカードである。
【００１７】
装着部は、カード収納部１の前壁側の底部およびその下側に形成されるとともに、カード３の下半部を装着可能な寸法に形成されている。カード３の下半部には接点部３ａが形成され、装着部にも接点部（図示省略）が形成されているため、カード３を装着部に装着した状態で、カード３の接点部３ａと装着部の接点部とが電気的に接続され、カード３に記録された情報が映像表示装置１０において利用できるようになる。
【００１８】
カード収納部１の後側の底部には爪用係合部１ｂが形成され、カード収納部１の左部には底部から上方に立設する固定部１ａが形成され、固定部１ａには封止用係合部１ｃが形成されている。
【００１９】
カード盗難防止蓋２は、カード収納部１の上側に取り付けられ、カード収納部１を保護する。カード盗難防止蓋２の中央部分には、カード３の外形よりも小さな開口部２ａが形成されている。より具体的には、開口部２ａは、カード３が開口部２ａを通過できないが、使用者が開口部２ａから指を入れてカード３を摘める程度の大きさに形成されている。ここで、開口部２ａは、カード３の向きを斜めなどに変えても通過できないような大きさに形成されている。
【００２０】
カード盗難防止蓋２において、カード収納部１の爪用係合部１ｂと対応する位置には爪部２ｂが形成され、カード盗難防止蓋２において、カード収納部１の封止用係合部１ｃと対応する位置には封止部２ｃが形成されている。カード盗難防止蓋２の爪部２ｂをカード収納部１の爪用係合部１ｂに係合させて、カード盗難防止蓋２の封止部２ｃとカード収納部１の封止用係合部１ｃとを位置合わせした状態で、封止部２ｃと封止用係合部１ｃに対して工具などで封止用ネジ４を締結することで、カード盗難防止蓋２はカード収納部１に取り付けられる。
【００２１】
カード３を装着部に装着し、かつ、カード盗難防止蓋２でカード収納部１を閉蓋した状態で、開口部２ａを介してカード３の装着を解除可能な空間が、カード３とカード盗難防止蓋２との間（より具体的には、カード３の上端とカード盗難防止蓋２の裏面との間）に形成されている。このため、カード盗難防止蓋２をカード収納部１に取り付けた状態で、使用者は開口部２ａから指を入れてカード３の摺動および挿抜を行うことが可能である。
【００２２】
以上のように、実施の形態１に係る記録媒体盗難防止構造では、カード盗難防止蓋２に、カード３の外形よりも小さな開口部２ａが形成されたため、カード３の盗難防止機能を残しつつ、カード収納部１の状態、すなわちカード３が装着部に正常に装着されているかどうかを確認することが可能となる。
【００２３】
また、カード３を装着部に装着し、かつ、カード盗難防止蓋２でカード収納部１を閉蓋した状態で、開口部２ａを介してカード３の装着を解除可能な空間が、カード３とカード盗難防止蓋２との間に形成されたため、カード３が装着部に正常に装着されていない場合に、カード３の盗難防止機能を残しつつ、使用者は、開口部２ａから指を入れてカード３の摺動および挿抜を行うことが可能となる。これにより、カード３の接点部３ａと装着部の接点部との接点不良を解消することができる。
【００２４】
さらに、これらの動作についてカード盗難防止蓋２を外すことなく行うことができるため、手間をかけずに簡単に行うことができる。
【００２５】
なお、記録媒体盗難防止構造は、映像表示装置以外の装置に採用されてもよいし、また、記録媒体は、Ｂ−ＣＡＳカード以外のカード、メモリなどであってもよい。
【００２６】
また、カード収納部１にカード盗難防止蓋２を取り付けるための構造として、封止用ネジ４の代わりに、リベット、プッシュリベット、アンカークリップ、鍵を有する錠構造または暗証番号を用いた錠構造などであってもよいし、これらの組み合わせであってもよい。
【００２７】
＜実施の形態２＞
次に、実施の形態２に係る記録媒体盗難防止構造について説明する。図３は、実施の形態２に係る記録媒体盗難防止構造の斜視図である。なお、実施の形態２において、実施の形態１で説明したものと同一の構成要素については同一符号を付して説明は省略する。
【００２８】
実施の形態２に係る記録媒体盗難防止構造では、カード盗難防止蓋２は、カード盗難防止蓋２の開口部２ａを開閉する開口部用蓋部５をさらに備えている。開口部用蓋部５は、開口部用蓋部５の下端部に、例えばヒンジ（図示省略）を介して開口部２ａに取り付けられている。開口部用蓋部５の上端部には可撓性を有する爪部５ａが形成され、使用者は、爪部５ａを下方に押圧しながら開口部用蓋部５を開けたり、爪部５ａを摘んで開口部用蓋部５を閉じたりすることができる。
【００２９】
開口部用蓋部５を開けると開口部２ａが開状態となり、使用者は、カード３が装着部に正常に装着されているかどうかを確認することが可能となるとともに、開口部２ａから指を入れてカード３の摺動および挿抜を行うことが可能である。開口部用蓋部５を閉じると開口部２ａが閉状態となり、使用者は、カード３が装着部に正常に装着されているかどうかを確認することができなくなるとともに、開口部２ａから指を入れてカード３の摺動および挿抜を行うことができなくなる。
【００３０】
以上のように、実施の形態２に係る記録媒体盗難防止構造では、カード盗難防止蓋２は、開口部２ａを開閉する開口部用蓋部５をさらに備えたため、開口部用蓋部５を開けて開口部２ａを開状態にして、カード３が装着部に正常に装着されているかどうかを確認したり、カード３の摺動および挿抜を行ったりすることができる。これらの動作を行わない場合は、開口部用蓋部５を閉じて開口部２ａを閉状態にすることで、カード３の接点部３ａおよび装着部の接点部に埃が付着することを防止できる。また、工具または治具を使用せずに開口部用蓋部５を開閉することができるため、手間をかけずに簡単に上記の動作を行うことができる。
【００３１】
＜実施の形態３＞
次に、実施の形態３に係る記録媒体盗難防止構造について説明する。図４は、実施の形態３に係る記録媒体盗難防止構造の斜視図である。なお、実施の形態３において、実施の形態１，２で説明したものと同一の構成要素については同一符号を付して説明は省略する。
【００３２】
実施の形態３に係る記録媒体盗難防止構造では、カード盗難防止蓋２は、開口部２ａに対して着脱可能な開口部用蓋部６をさらに備えている。開口部２ａの下端部には固定爪用係合部（図示省略）が形成され、開口部用蓋部６の下端部には、固定爪用係合部と係合可能な固定爪部６ｂが形成されている。固定爪部６ｂを固定爪用係合部に係合させることで、開口部用蓋部６が開口部２ａに嵌合されている。開口部用蓋部６の上端部には可撓性を有する爪部６ａが形成され、使用者は、爪部６ａを下方に押圧しながら開口部用蓋部６を開けることで、固定爪部６ｂと固定爪用係合部との係合を解除することができる。固定爪部６ｂと固定爪用係合部との係合を解除して開口部２ａから開口部用蓋部６を取り外したり、固定爪部６ｂを固定爪用係合部に係合させて開口部用蓋部６を取り付けたりすることができる。
【００３３】
以上のように、実施の形態３に係る記録媒体盗難防止構造では、開口部用蓋部６は、開口部２ａに対して着脱可能に構成されたため、開口部用蓋部６を取り外して開口部２ａを開状態にして、カード３が装着部に正常に装着されているかどうかを確認したり、カード３の摺動および挿抜を行ったりすることができる。これらの動作を行わない場合は、開口部２ａに開口部用蓋部６を取り付けて開口部２ａを閉状態にすることで、カード３の接点部３ａおよび装着部の接点部に埃が付着することを防止できる。また、工具または治具を使用せずに開口部用蓋部６を着脱することができるため、手間をかけずに簡単に上記の動作を行うことができる。
【００３４】
なお、本発明は、その発明の範囲内において、各実施の形態を自由に組み合わせたり、各実施の形態を適宜、変形、省略することが可能である。
【符号の説明】
【００３５】
１  カード収納部、２  カード盗難防止蓋、２ａ  開口部、３  カード、５，６  開口部用蓋部。
【図１】
2014222422.tif 000003
【図２】
2014222422.tif 000004
【図３】
2014222422.tif 000005
【図４】
2014222422.tif 000006